(57)【要約】【課題】照明光を用いた好適な撮影制御が可能なカメラを提供する。【解決手段】本発明のカメラ本体１０１は、小発光と、小発光よりも光量が大きい大発光と、を行うリモート照明装置４０に対してトリガ光パルスを発光し、リモート照明装置４０と通信するマスタ照明装置１０２によって多灯撮影を行うカメラ本体１０１であって、大発光によって発光されたモニタ光の反射光を受光する撮像センサ５と、小発光の反射光によらず、大発光の反射光に基づいて、リモート照明装置４０の本発光の照明光の光量を調整するＴＴＬ調光演算部１５と、を備える。【選択図】図５
2014035445.tif 000002
【特許請求の範囲】
【請求項１】
第１予備発光と、該第１予備発光よりも光量が大きい第２予備発光と、を行うリモート照明装置と、トリガ光を発光し、前記リモート照明装置と通信するマスタ照明装置と、によって多灯撮影を行うカメラであって、
前記第２予備発光の反射光を含む第２反射光を受光する受光素子と、
前記第１予備発光の反射光を含む第１反射光によらず、前記第２反射光に基づいて、前記リモート照明装置によって撮影時に発光される照明光の光量を調整する調光部と、
を備えることを特徴とするカメラ。
【請求項２】
請求項１に記載のカメラであって、
レンズに入射される光の光量を減少させる減光フィルタと、
前記減光フィルタを前記レンズの対物側の光軸上に設置し、設置された前記減光フィルタを前記レンズの前記光軸上から外す減光フィルタ駆動部と、をさらに備え、
前記減光フィルタ駆動部は、
前記第２反射光の受光時に前記減光フィルタが前記レンズの光軸上に存在するように、前記減光フィルタを駆動することを特徴とするカメラ。
【請求項３】
請求項２に記載のカメラであって、
前記減光フィルタ駆動部は、
前記第１予備発光が行われる以前に前記減光フィルタを前記レンズの光軸上に設置することを特徴とするカメラ。
【請求項４】
請求項２に記載のカメラであって、
前記減光フィルタ駆動部は、
前記トリガ光の発光が行われる以前に前記減光フィルタを前記レンズの光軸上に設置することを特徴とするカメラ。
【請求項５】
リモート照明装置にトリガ光を発光し、前記リモート照明装置と通信するマスタ照明装置を備えるカメラであって、
撮影レンズと、
前記撮影レンズを通過してきた光を受光する受光素子と、
前記撮影レンズに入射される光の光量を減少させる減光フィルタと、
前記減光フィルタを前記撮影レンズの対物側の光軸上に設置し、設置された前記減光フィルタを前記撮影レンズの光軸上から外す減光フィルタ駆動部と、
前記減光フィルタが撮影時に前記光軸上に設置されるか否かに関わらず、前記減光フィルタ駆動部によって前記減光フィルタが前記光軸上に設置されているときに前記撮影レンズを通過した光に基づいて、前記リモート照明装置によって撮影時に発光される照明光の光量を調整する調光部と、
を備えることを特徴とするカメラ。
【請求項６】
第１予備発光よりも光量が大きい第２予備発光が可能であり、トリガ発光が可能なマスタ照明装置と通信可能なリモート照明装置によって発光された前記第２予備発光の反射光を含む第２反射光を受光する受光素子と、
前記第１予備発光の反射光を含む第１反射光よりも、前記第２反射光に重みを持たせて、前記リモート照明装置によって撮影時に発光される照明光の光量を調整する調光部と、
を備えることを特徴とするカメラ。
【請求項７】
第１予備発光と、当該第１予備発光よりも光量が大きい第２予備発光と、を行うリモート照明装置に対してトリガ光を発光し、前記リモート照明装置と通信するマスタ照明装置により、多灯撮影を行うカメラにおいて実行される多灯撮影制御プログラムであって、
コンピュータに、
前記第２予備発光の反射光を含む第２反射光を受光する機能と、
前記第１予備発光の反射光を含む第１反射光によらず、前記第２反射光に基づいて、前記リモート照明装置によって撮影時に発光される照明光の光量を調整する機能と、
を実現させることを特徴とする多灯撮影の制御プログラム。
【発明の詳細な説明】
【技術分野】
【０００１】
本発明は、カメラ、多灯撮影の制御プログラムに関するものである。
【背景技術】
【０００２】
現在、被写体の撮影に複数の照明装置を使う技術がある。このような撮影の手法は、多灯ライティング等とも呼ばれており、本明細書では、以降、「多灯撮影」と記すものとする。近年では、コンパクトカメラに外部照明装置を装着するホットシューも提供されており、コンパクトカメラを使って多灯撮影を行うことも行われている。多灯撮影では、撮影に先立って照明装置の撮影時の光量（以下、「照明光量」と記す）が調整される。
【０００３】
多灯撮影に使用される照明装置には、カメラの本体に取り付けられるマスタ照明装置と、マスタ照明装置と通信するリモート照明装置とがある。特許文献１に記載された照明光量の調整では、マスタ照明装置あるいはリモート照明装置を予備発光（以下、「モニタ発光」と記す）させる。そして、モニタ発光の反射光量をカメラのＣＣＤを使って測光し、測光された光量に基づいてマスタ照明装置あるいはリモート照明装置の撮影時の発光（以下、「本発光と記す」）の光量を決定している。
【先行技術文献】
【特許文献】
【０００４】
【特許文献１】特開２０１１−１２８６４４号公報
【発明の概要】
【発明が解決しようとする課題】
【０００５】
しかし、上記した特許文献１に記載の発明では、測光にＣＭＯＳセンサを使った場合、モニタ発光の反射光量にノイズが重畳され、本発光時における適正な光量を決定することができない、という問題がある。
本発明の課題は、照明光を用いた好適な撮影制御が可能なカメラ、このカメラを用いた多灯撮影の制御プログラムを提供することである。
【課題を解決するための手段】
【０００６】
本発明は、以下のような解決手段により前記課題を解決する。なお、理解を容易にするために、本発明の実施形態に対応する符号を付して説明するが、これに限定されるものではない。
請求項１に記載の発明は、第１予備発光と、当該第１予備発光よりも光量が大きい第２予備発光と、を行うリモート照明装置（４０）と、トリガ光（Ｐ）を発光し、前記リモート照明装置（４０）と通信するマスタ照明装置（１０２）と、によって多灯撮影を行うカメラ（１）であって、前記第２予備発光の反射光を含む第２反射光を受光する受光素子（５）と、前記第１予備発光の反射光を含む第１反射光によらず、前記第２反射光に基づいて、前記リモート照明装置によって撮影時に発光される照明光の光量を調整する調光部（１５）と、を備えることを特徴とするカメラである。
請求項２に記載の発明は、請求項１に記載のカメラ（１）であって、レンズ（３）に入射される光の光量を減少させる減光フィルタ（２）と、前記減光フィルタ（２）を前記レンズの対物側の光軸（Ａ）上に設置し、設置された前記減光フィルタ（２）を前記レンズ（３）の前記光軸上から外す減光フィルタ駆動部（２０、２４）と、をさらに備え、前記減光フィルタ駆動部（２０、２４）は、前記第２反射光の受光時に前記減光フィルタ（２）が前記レンズ（３）の光軸（Ａ）上に存在するように前記減光フィルタを駆動することを特徴とするカメラである。
請求項３に記載の発明は、請求項２に記載のカメラであって、前記減光フィルタ駆動部（２０、２４）は、前記第１予備発光が行われる以前に前記減光フィルタ（２）を前記レンズ（３）の光軸（Ａ）上に設置することを特徴とするカメラである。
請求項４に記載の発明は、請求項２に記載のカメラであって、前記減光フィルタ駆動部（２０、２４）は、前記トリガ光の発光が行われる以前に前記減光フィルタ（２）を前記レンズ（３）の光軸（Ａ）上に設置することを特徴とするカメラである。
請求項５に記載の発明は、リモート照明装置（４０）にトリガ光を発光し、前記リモート照明装置（４０）と通信するマスタ照明装置（１０２）を備えるカメラ（１）であって、撮影レンズ（３）と、前記撮影レンズを通過してきた光を受光する受光素子（５）と、前記撮影レンズ（３）に入射される光の光量を減少させる減光フィルタ（２）と、前記減光フィルタ（２）を前記撮影レンズ（３）の対物側の光軸（Ａ）上に設置し、設置された前記減光フィルタ（２）を前記撮影レンズ（３）の光軸（Ａ）上から外す減光フィルタ駆動部（２０、２４）と、前記減光フィルタ（２）が撮影時に前記光軸（Ａ）上に設置されるか否かに関わらず、前記減光フィルタ駆動部（２０、２４）によって前記減光フィルタ（２）が前記光軸（Ａ）上に設置されているときに前記撮影レンズ（３）を通過した光に基づいて、前記リモート照明装置（４０）によって撮影時に発光される照明光の光量を調整する調光部（１５）と、を備えることを特徴とするカメラである。
請求項６に記載の発明は、第１予備発光よりも光量が大きい第２予備発光が可能であり、トリガ発光が可能なマスタ照明装置（１０２）と通信可能なリモート照明装置（４０）によって発光された前記第２予備発光の反射光を含む第２反射光を受光する受光素子（５）と、前記第１予備発光の反射光を含む第１反射光よりも、前記第２反射光に重みを持たせて、前記リモート照明装置によって撮影時に発光される照明光の光量を調整する調光部（１５）と、を備えることを特徴とするカメラである。
請求項７に記載の発明は、第１予備発光と、当該第１予備発光よりも光量が大きい第２予備発光と、を行うリモート照明装置（４０）と、トリガ光（Ｐ）を発光し、前記リモート照明装置（４０）と通信するマスタ照明装置（１０２）と、によって多灯撮影を行うカメラ（１）において実行される多灯撮影制御プログラムであって、コンピュータに、前記第２予備発光の反射光を含む第２反射光を受光する機能（Ｓ１５）と、前記第１予備発光の反射光を含む第１反射光によらず、前記第２反射光に基づいて、前記リモート照明装置によって撮影時に発光される照明光の光量を調整する機能（Ｓ１６）と、を実現させることを特徴とする多灯撮影の制御プログラムである。
なお、符号を付して説明した構成は、適宜改良してもよく、また、少なくとも一部を他の構成物に代替してもよい。
【発明の効果】
【０００７】
本発明によれば、照明光を用いた好適な撮影制御が可能なカメラ、多灯撮影の制御プログラムを提供することができる。
【図面の簡単な説明】
【０００８】
【図１】本発明の一実施形態のカメラの外観を説明するための斜視図である。
【図２】図１に示したカメラが用いられる多灯撮影のシステムを説明するための図である。
【図３】本発明の一実施形態のモニタ光とトリガパルスとを例示した図である。
【図４】本発明の課題を説明するための図である。
【図５】本発明の一実施形態のカメラのブロック図である。
【図６】本発明の一実施形態のカメラの動作を説明するためのフローチャートである。
【発明を実施するための形態】
【０００９】
以下、図面等を参照して、本発明の実施形態について説明する。
［全体構成］
図１は、本発明の一実施形態のカメラ１の外観を説明するための斜視図である。カメラ１は、カメラ本体１０１と、マスタ照明装置１０２と、を備えている。カメラ本体１０１には、レリーズ（シャッター）ボタン１０３と、撮像光学系３と、が設けられている。本実施形態では、カメラ本体１０１を、レンズ鏡筒が一体となっている、いわゆるコンパクトカメラとする。マスタ照明装置１０２は、図示しないホットシューによってカメラ本体１０１に取り付けられる、外付けの照明装置である。
【００１０】
本発明の「カメラ」は、カメラ本体１０１に相当する。しかし、マスタ照明装置１０２がカメラ本体１０１に装着されていることから、本実施形態では、便宜上、以降カメラ本体１０１とマスタ照明装置１０２とを合わせてカメラ１と記す。
本実施形態は、このようなカメラ１を多灯撮影に使用し、そのモニタ発光時の光量をノイズによらず正確に検出することを目的とするものである。
【００１１】
［多灯撮影システム］
次に、本実施形態のカメラ１の詳細な説明に先立って、カメラ１が適用される多灯撮影システムと、多灯撮影システムにおいてモニタ光に生じるノイズについて説明する。
図２は、カメラ１が用いられる多灯撮影のシステムを説明するための図である。本実施形態では、マスタ照明装置がリモート照明装置に対してワイヤレスでモニタ発光を指示し、リモート照明装置のみがモニタ発光を行う多灯撮影のシステムを例にしている。このような多灯撮影は、被写体周囲の光量が逆光等によって不足している場合ばかりでなく、写真にイメージ通りの陰影を与えたり、被写体の質感を変えたりする場合にも使用される。
【００１２】
多灯撮影のシステムは、マスタ照明装置１０２と、リモート照明装置４０と、カメラ本体１０１と、を含んでいる。マスタ照明装置１０２は、カメラ本体１０１に取り付けられていて、カメラ本体１０１によって制御されている。マスタ照明装置１０２は、カメラ本体１０１の指示によってリモート照明装置４０にトリガパルスＰを送信することができる。
多灯撮影では、撮影の本発光時、マスタ照明装置１０２、リモート照明装置４０のいずれか、またはその両方が発光する。本発光時に発光された照明光は、被写体Ｓに照射され、被写体Ｓの陰影を調整する。本実施形態は、このような本発光に先立って行われるモニタ発光に適用されるものである。
【００１３】
モニタ発光では、カメラとの距離が近い被写体（例えば約０．６ｍの範囲にある被写体）と遠い被写体（例えば約０．６ｍ以上の範囲にある被写体）とで適正な光量が異なる。つまり、モニタ発光において、比較的近距離の被写体Ｓに対して強いモニタ光Ｍを照射すると、反射光Ｒが強すぎてカメラが反射光量を正確に測定できない可能性がある。また、比較的遠距離の被写体Ｓに対して弱いモニタ光Ｍを照射すると、モニタ光Ｍが被写体Ｓに届かず、カメラが反射光Ｒの光量を正確に測定できない可能性がある。
【００１４】
以上のことから、本実施形態では、光量が異なる２回のモニタ発光を行っている。２回のモニタ発光のうち、光量が相対的に大きいものを「大発光」、光量が相対的に小さいものを「小発光」と記すものとする。カメラ本体１０１は、マスタ照明装置１０２を介して、リモート照明装置４０に対して大発光、小発光のいずれのモニタ発光を行うかを指示する。マスタ照明装置１０２とリモート照明装置４０とがワイヤレスで通信する場合、この指示は、小発光よりもさらに光量の小さいトリガパルスＰによって行われる。
【００１５】
この際、カメラ本体１０１は、先ず、リモート照明装置４０に対してマスタ照明装置１０２から小発光を指示するトリガパルスＰを送信する。リモート照明装置４０は、トリガパルスＰを受信し、小発光のモニタ光Ｍを発光する。モニタ光Ｍは、被写体Ｓによって反射され、反射光Ｒがカメラ本体１０１によって測光される。次に、カメラ本体１０１は、測光された光量が予め設定されている値に満たない場合、リモート照明装置４０に対してマスタ照明装置１０２から大発光を指示するトリガパルスＰを送信する。リモート照明装置４０は、トリガパルスＰを受信し、大発光のモニタ光Ｍを発光する。モニタ光ＭとトリガパルスＰとを、図３に例示する。
【００１６】
次に、上記した構成において発生する、モニタ光Ｍのノイズについて、図４（ａ）、（ｂ）、（ｃ）を使って説明する。なお、このノイズは、カメラ本体１０１がモニタ光Ｍの測光に、ＣＭＯＳセンサを用いた場合に発生するものである。
図４（ａ）は、トリガパルスＰと、トリガパルスＰに基づいてリモート照明装置４０が発光したモニタ光Ｍとを示した図である。図４（ｂ）、（ｃ）は、ＣＭＯＳセンサを構成するフォトダイオードが電荷の蓄積を開始するタイミングを示した模式的なタイミングチャートであって、図４（ｂ）は、トリガパルスＰの発光が完了した後にＣＭＯＳセンサのフォトダイオードに電荷蓄積を開始させた場合を示している。また、図４（ｃ）は、トリガパルスＰの発光が完了する前にＣＭＯＳセンサのフォトダイオードに電荷蓄積を開始させた場合を示している。
【００１７】
図４（ａ）、（ｂ）、（ｃ）のいずれにおいても横軸は時間ｔを示している。図４（ａ）の縦軸はトリガパルスＰ、あるいはモニタ光Ｍの光量である。図４（ｂ）、（ｃ）の縦軸は、ＣＭＯＳセンサに含まれるフォトダイオードのうちの電荷蓄積を開始したフォトダイオードの割合（０〜１）を示している。
【００１８】
図４（ａ）に示したように、カメラ本体１０１からは、大発光、あるいは小発光を指示するトリガパルスＰがリモート照明装置４０に送信される。リモート照明装置４０は、トリガパルスＰを受信し、トリガパルスＰの指示を解釈してモニタ発光を行う。現状の多灯撮影では、トリガパルスＰの発光完了からモニタ発光までの時間ｔ１は、約２ｍｓである。
【００１９】
一方、ＣＭＯＳセンサは、ラインに沿って配列された複数のフォトダイオードを備えている。ＣＭＯＳセンサのフォトダイオードは、ラインごとに異なるタイミングで順次電荷蓄積を開始する。このため、図４（ｂ）に示したように、電荷蓄積を開始したフォトダイオードの数は、時間の経過に伴って増加していく。現状のカメラに使用されるＣＭＯＳセンサの多くは、ＣＭＯＳセンサに含まれるフォトダイオードが電荷蓄積を開始してから全てのフォトダイオードが電荷蓄積を開始するまでの時間ｔ２が２ｍｓ以上となっている。
【００２０】
このため、図４（ｂ）に示したように、トリガパルスＰの発光が完了してからＣＭＯＳセンサが電荷蓄積を開始すると、全てのフォトダイオードが電荷を蓄積可能になる前にモニタ光Ｍが発光される。このような場合、時間ｔ３の間に発光したモニタ光Ｍによって生じた電荷の一部は、ＣＭＯＳセンサに蓄積されない（以下、「けられる」とも記す）ことになる。モニタ光Ｍによって生じた電荷の一部がＣＭＯＳセンサにけられると、カメラ本体１０１は、モニタ光Ｍの光量を実際よりも小さい値として検出する。
【００２１】
上記した点は、図４（ｃ）に示したように、ＣＭＯＳセンサのフォトダイオードの電荷蓄積開始を例えば時間ｔ４遅らせることによって回避することができる。しかし、このようにした場合、トリガパルスＰの発光が完了する前にＣＭＯＳセンサのフォトダイオードの電荷蓄積が開始されるので、トリガパルスＰによる電荷が、時間ｔ５の間にＣＭＯＳセンサの一部のフォトダイオードに蓄積される（以下、「映りこむ」とも記す）。
【００２２】
以上、説明したように、カメラ本体１０１によって測光される光量には、反射光Ｒの光量の他、トリガパルスＰの光量が含まれている。カメラ本体１０１によって測光される光量を、以下、本実施形態では、「評価値」と記す。評価値において、反射光Ｒは本発光の光量を決定するための信号成分（Ｓ）であり、トリガパルスＰはノイズ成分（Ｎ）となる。
【００２３】
評価値にトリガパルスＰによるノイズが含まれると、カメラは、反射光Ｒの光量を実際よりも大きい値として検出し、本発光の照明光量が適正な値よりも小さく設定されてしまう。したがって、図４（ｃ）に示したタイミングでＣＭＯＳセンサが電荷の蓄積を開始すると、本発光時に撮影された写真がアンダー露光になる傾向がある。アンダー露光になる傾向は、ノイズが大きいほど顕著になる。
さらに、トリガパルスＰの光量は、マスタ照明装置の個体差によってばらつきがあることが知られている。このため、トリガパルスＰによって蓄積される電荷の量を予め計算し、カメラによって検出された光量を補正する等の処理は困難である。
【００２４】
以上のことから、本実施形態では、小発光の評価値とは無関係に、カメラ本体１０１が、リモート照明装置４０に対してトリガパルスＰを送信し、大発光を行うように指示する。リモート照明装置４０は、指示にしたがって大発光を行う。カメラ本体１０１は、大発光の直後に入射された光を測光して評価値とし、評価値に基づいて本発光の際の照明光の光量を決定する。
【００２５】
このような本実施形態は、照明光の決定に常に大発光の評価値を用いることにより、反射光Ｒを小発光時の反射光Ｒよりも大きくしている。また、トリガパルスＰの光量は小発光、大発光によらず一定である。このことから、本実施形態は、評価値のＳ／Ｎ比を大きくすることができる。
【００２６】
［カメラ本体の構成］
次に、以上説明した本実施形態に適用されるカメラの構成を説明する。
図５は、本実施形態のカメラ本体１０１を説明するためのブロック図である。カメラ本体１０１は、カメラ本体１０１に対して着脱可能なマスタ照明装置１０２を備えたデジタルカメラである。リモート照明装置４０は、カメラ本体１０１とマスタ照明装置１０２を介して通信可能に構成されている。
【００２７】
カメラ本体１０１は、被写体光を結像させる撮像光学系３と、被写体結像をアナログ信号に変換する撮像センサ５と、撮像センサ５の画素選択スイッチのオン、オフを制御する撮像センサ制御部１１と、を備えている。
撮像光学系３は、フォーカスレンズやズームレンズを含む複数のレンズ郡と開口絞り等で構成されており、被写体光を撮像センサ５の受光面に結像させる。図５では、撮像光学系３を１枚のレンズで示すものとする。図５中に、撮像光学系３の光軸に符号Ａを付して示す。
撮像センサ５は、撮像光学系３の像空間側に配置され、撮像光学系３によってその受光面に形成された被写体像を光電変換してアナログ画像信号を生成する。本実施形態の撮像センサ５は、ＣＭＯＳイメージセンサである。
【００２８】
また、カメラ本体１０１は、減光フィルタ（以下、ＮＤ（Ｎｅｕｔｒａｌ  Ｄｅｎｓｉｔｙ）フィルタと記す）２を備えている。ＮＤフィルタ２は、後述するように、撮像光学系３の光軸Ａ上に挿入され、光軸Ａ上から外される。本実施形態では、以降、ＮＤフィルタ２を光軸Ａ上に移動させることを「ＮＤフィルタをオンする」、光軸Ａ上のＮＤフィルタ２が光軸Ａ上から外れるように移動させることを「ＮＤフィルタをオフする」とも記すものとする。
【００２９】
カメラ本体１０１は、上記した撮像光学系３を駆動する光学系駆動部２３、ＮＤフィルタを移動させるＮＤフィルタ駆動部２４を備えている。また、光学系駆動部２３を制御する光学系制御部１９、ＮＤフィルタ駆動部２４を制御するＮＤフィルタ制御部２０を含む駆動制御部２１を備えている。
光学系制御部１９は、撮像光学系３のオートフォーカス（ＡＦ）や絞りを制御するため、光学系駆動部２３を介して撮像光学系３を駆動している。ＮＤフィルタ制御部２０は、ＮＤフィルタ２を所定のタイミングでオン、またはオフするためにＮＤフィルタ駆動部２４を駆動している。
【００３０】
また、カメラ本体１０１は、撮像センサ５から読み出された電荷（アナログ画像信号）を処理して画像を生成する画像処理部１２と、生成された画像の画像データが蓄積されるメモリ７、メモリカード８と、画像データをメモリ７またはメモリカード８に蓄積させるためのメモリ制御部１３と、を備えている。
画像処理部１２は、撮像センサ５から出力されたアナログ画像信号を増幅し、ホワイトバランス調整、ガンマ補正、輪郭強調、レベル調整等の各種画像処理を行う。メモリ７はカメラ本体１０１に内蔵される内蔵メモリである。メモリカード８は、カメラのユーザによって任意に装着される外付けのメモリである。
【００３１】
また、カメラ本体１０１は、マスタ照明装置１０２を制御するための照明制御部１４を備えている。照明制御部１４は、モニタ発光時、マスタ照明装置１０２に対し、リモート照明装置４０に小発光または大発光をさせるように指示する。マスタ照明装置は、指示にしたがってリモート照明装置にトリガパルスＰを送信する。
【００３２】
また、本実施形態のカメラ本体１０１は、ＴＴＬ（Ｔｈｒｏｕｇｈ  Ｔｈｅ  Ｌｅｎｓ）調光演算部１５を備えている。ＴＴＬ調光演算部１５は、撮像センサ５に測光された評価値に基づいて、本発光時のマスタ照明装置１０２、リモート照明装置４０の照明光の光量を調整する。このようなＴＴＬ調光演算部１５によれば、撮像センサ５に実際に測光される光量そのものに基づいて調光を行うことができる。
【００３３】
さらに、カメラ本体１０１は、以上の構成を統括的に制御するシステムコントローラ１０を備えている。システムコントローラ１０は、ＣＰＵ（ｃｅｎｔｒａｌ  ｐｒｏｃｅｓｓｉｎｇ  ｕｎｉｔ）及び演算処理を実行する際に必要なデータや画像信号等を一時的に記憶する揮発性メモリ等を備えた、いわゆるマイコンと呼ばれる小型のコンピュータである。
システムコントローラ１０は、焦点検出（ＡＦ）や露光決定（ＡＥ）等の各種演算を行う。また、システムコントローラ１０は、撮影時、操作部６の図１に示したレリーズボタン１０３の操作によって撮影が開始されると、光学系制御部１９及び撮像センサ制御部１１を制御して、絞りや感度、シャッタースピード等を設定する。そして、撮像センサ５からのアナログ画像信号の読み出し（撮影）が開始されるように制御する。
【００３４】
［マスタ照明装置の構成］
マスタ照明装置１０２は、照明光を発光する発光部３１と、発光部３１の光量を設定する発光強度設定部３２と、リモート照明装置４０にトリガパルスＰを送信する信号送信部３３と、ユーザによって操作される操作部３４と、を備えている。
【００３５】
発光部３１は、キセノンランプを備えた光源であり、発光強度設定部３２によって光量が多段階に設定可能に構成されている。信号送信部３３は、カメラ本体１０１の照明制御部１４の指示に応じてトリガパルスＰをリモート照明装置４０に送信する。モニタ発光時のトリガパルスＰは、リモート照明装置４０に対して大発光、小発光のいずれかを実行するように指示する信号である。操作部３４には、本発光時にマスタ照明装置１０２が照明光を発光するか否かがユーザによって設定される。
【００３６】
［リモート照明装置の構成］
リモート照明装置４０は、トリガパルスＰを受信する信号受信部４３、受信されたトリガパルスＰに基づいて照明光の発光強度を設定する発光強度設定部４２、発光強度設定部４２によって設定された発光強度の照明光を発光する発光部４１を備えている。
本実施形態では、発光部４１を、発光部３１と同様にキセノンランプとする。モニタ発光にあたり、発光強度設定部４２は、送信されてきたトリガパルスＰにしたがって、発光部４１が小発光または大発光するように設定する。
【００３７】
［発明の特徴部の構成］
次に、以上説明した構成における、本実施形態特有の構成について説明する。
前記したように、本実施形態のカメラ本体１０１は、小発光と、小発光よりも光量が大きい大発光と、を行うリモート照明装置４０と、トリガパルスＰを発光し、リモート照明装置４０と通信するマスタ照明装置１０２と、によって多灯撮影を行っている。
【００３８】
図５に示した撮像センサ５は、リモート照明装置４０が大発光を行ったときの評価値を測光する。調光演算部１５は、小発光の評価値によらず、撮像センサ５によって測光された大発光の評価値に基づいて、リモート照明装置４０の本発光時の照明光の光量を調整する。
すなわち、本実施形態では、リモート照明装置４０が小発光と大発光の２回のモニタ発光を行うにも関わらず、小発光時に撮像センサ５によって測光された評価値の情報を一時的に保存することなく廃棄する。そして、撮像センサ５によって測光された大発光の評価値のみに基づいて、本発光時の照明光の光量を設定する。このようにすれば、撮像センサ５にトリガパルスＰが映りこんだ場合にも、ノイズとなるトリガパルスＰの光量の割合が小さい評価値に基づいて照明光の光量を設定することが可能になる。
【００３９】
また、本実施形態は、常に大発光時の評価値を採用するため、リモート照明装置４０と近距離にある（例えば約０．６ｍ以内）被写体Ｓに対応できないことが懸念される。この点を解消するため、本実施形態は、図５に示したＮＤフィルタ２、ＮＤフィルタ駆動部２４、ＮＤフィルタ制御部２０を備えている。
ＮＤフィルタ２は、撮像光学系３に含まれるレンズに入射される光の光量を減少させる減光フィルタである。ＮＤフィルタ駆動部２４、ＮＤフィルタ制御部２０は、ＮＤフィルタをオンし、オンされたＮＤフィルタをオフするようにＮＤフィルタ２を移動させる機構である。ＮＤフィルタ駆動部２４、ＮＤフィルタ制御部２０は、ＮＤフィルタ２が、カメラ本体１０１の撮影時にオンされるか否か（撮影に使用されるか否か）に関わらず、大発光の反射光が撮像センサ５に測光される以前にＮＤフィルタ２をオンさせる。
【００４０】
すなわち、ＮＤフィルタ２は、撮影の際のカメラの絞りを開いたり、シャッタースピードを下げたりすることに使用されることが公知のフィルタである。しかし、本実施形態は、公知の用途ではなく、モニタ発光時の撮像センサ５の受光光量を下げるためにＮＤフィルタ２を用いている。このため、本実施形態では、撮影時にＮＤフィルタ２が使用されるか否かに関わらず、大発光が行われる以前にＮＤフィルタ２がオンされる。
【００４１】
このようにすれば、大発光時の評価値を全体的に低減し、近距離にある被写体からの反射光を確実に測光することができるようになる。また、遠距離にある被写体については、ＮＤフィルタ２の減光の程度を適正に選択することにより、実用的な距離範囲内において適正な評価値を得られるようにすることができる。このことにより、本実施形態は、一度の大発光によって近距離にある被写体と遠距離にある被写体の両方に対応することができるようになる。
さらに、本実施形態は、評価値を低減するために、カメラの絞りの設定を変更するのではなく、ＮＤフィルタ２を使っている。このようにすれば、カメラの絞りが変わったことによって絞り誤差が生じることを防ぐことができる。
【００４２】
なお、ＮＤフィルタ２を挿入するタイミングは、リモート照明装置４０が大発光のモニタ発光を行う前であればよい。本実施形態は、小発光の反射光に関する情報が廃棄されることから、小発光の前にＮＤフィルタ２をオンするようにしてもよい。また、本実施形態は、マスタ照明装置１０２がトリガパルスＰを発光する以前にＮＤフィルタ２をオンするようにしてもよい。
このようにすれば、モニタ発光の小発光と大発光との間でＮＤフィルタ２の制御のために時間が空くことがなく、撮影者や被写体となる人物に違和感を与えることをなくすことができる。
【００４３】
また、オンされたＮＤフィルタ２は、ＮＤフィルタ２が撮影に使用される場合、撮影が完了した後にオフされる。一方、ＮＤフィルタ２が撮影に使用されない場合、本発光が開始される以前にオフされる。
【００４４】
［動作の説明］
図６は、以上説明したカメラ本体１０１を動作させるためのプログラムを説明するためのフローチャートである。図６に示したフローチャートの各処理は、図６に示したシステムコントローラ１０によって行われる。
システムコントローラ１０は、例えば、図１に示したレリーズボタン１０３が押されたことによってカメラ本体１０１のモニタ発光の操作が開始されたと判断する（ステップＳ１１：ＹＥＳ）。なお、レリーズボタン１０３が押されていないと判断されている間、システムコントローラ１０は、操作が開始されるまで待機する（ステップＳ１１：ＮＯ）。
【００４５】
カメラ本体１０１の操作が開始されたと判断されると、システムコントローラ１０は、ＮＤフィルタ制御部２０に制御信号を送り、ＮＤフィルタ駆動部２４によってＮＤフィルタ２をオンさせる（ステップＳ１２：図中、「ＮＤフィルタオン」と記す）。そして、照明制御部１４からマスタ照明装置１０２に対し、小発光を指示するためのトリガパルスＰを送信するように指示する（ステップＳ１３）。
【００４６】
照明制御部１４は、マスタ照明装置１０２にシステムコントローラ１０の指示を伝える。マスタ照明装置１０２の信号送信部３３は、リモート照明装置４０の信号受信部４３に向けて小発光を指示するトリガパルスＰを送信する。
次に、システムコントローラ１０は、照明制御部１４からマスタ照明装置１０２に大発光のモニタ発光を指示するトリガパルスを送信するように指示する（ステップＳ１４）。マスタ照明装置１０２の信号送信部３３は、リモート照明装置４０の信号受信部４３に向けて大発光を指示するトリガパルスＰを送信する。
【００４７】
大発光の指示の後、撮像センサ５には、大発光の反射光とトリガパルスＰとを含む光が受光される。システムコントローラ１０は、受光された光を大発光時の評価値として取得する（ステップＳ１５）。システムコントローラ１０は、取得された評価値をＴＴＬ調光演算部１５に送る。ＴＴＬ調光演算部１５は、評価値に基づいて本発光時のリモート照明装置４０の照明光量を決定する（ステップＳ１６）。
【００４８】
さらに、システムコントローラ１０は、決定されたリモート照明装置４０の照明光量を、マスタ照明装置１０２からトリガパルスＰによってリモート照明装置４０に送信させる（ステップＳ１７）。
以上の処理の後、システムコントローラ１０は、ユーザによる操作部６の操作に応じて光学系制御部１９を制御し、撮像光学系３を駆動する。また、レリーズボタン１０３が押されたタイミングに合わせて撮像センサ制御部１１を制御し、撮影を行う（ステップＳ１８）。
【００４９】
このとき、リモート照明装置４０は、ステップＳ１６において決定された光量で、照明光を発光する。また、マスタ照明装置が本発光を行う場合には、リモート照明装置４０と同時に照明光を発光する。
【００５０】
以上、本実施形態によると、以下の効果を有する。
（１）  常に大発光時の評価値に基づいて本発光の光量を決定しているため、評価値のうちの反射光が占める割合を大きくすることができる。一方、評価値においてノイズとして作用するトリガパルスの光量は小発光、大発光によらず一定であるから、評価値のＳ／Ｎ比を大きくすることができる。
以上のことから、照明装置間の通信に使用されるトリガパルスが、カメラにおけるモニタ発光の光量検出に与える影響を小さくすることができる。
【００５１】
（２）  評価値の測光にあたってカメラにＮＤフィルタを挿入し、カメラの撮像センサに入射される反射光及びトリガパルスの光量を低減している。このため、リモート照明装置と近距離にある被写体からの反射光、現実的な遠距離の範囲にある被写体からの反射光の両方を適正に測光することができる。
【００５２】
（３）  カメラの撮像センサに入射される光の減光をＮＤフィルタによって減光している。このため、絞りを変更することなく減光を実現でき、絞り誤差が生じることを防ぐことができる。
【００５３】
（４）  リモート照明装置の小発光以前、またはマスタ照明装置のトリガパルス発光以前にＮＤフィルタを挿入している。このため、モニタ発光の際の一連の発光処理が短時間のうちに実行できて、被写体となった人物等に違和感を与えることを防ぐことができる。
【００５４】
（変形形態）
以上、説明した実施形態に限定されることなく、以下に示すような種々の変形や変更が可能であり、それらも本発明の範囲内である。
（１）  先に説明した本実施形態は、大発光時の評価値に基づいて本発光の照明光の光量を決定することに伴って、ＮＤフィルタ２をオンさせている。しかし、これに限らず、ＮＤフィルタ２をオフしたまま大発光時の評価値を取得するようにしてもよい。このような構成は、被写体Ｓからの反射光の光量が比較的小さく、被写体が近距離にあっても大発光によって対応できる場合に有効である。
（２）  また、先に説明した本実施形態は、リモート照明装置４０が小発光と大発光の２回のモニタ発光を行っている。しかし、これに限らず、比較的光量の大きいモニタ発光を一回だけ行う多灯撮影のシステムにも適用することができる。
【００５５】
このような場合、リモート照明装置４０にトリガパルスを発光し、リモート照明装置４０にと通信するマスタ照明装置１０２を備えるカメラ本体１０１に、撮像光学系３と、撮像光学系３を通過してきた光を受光する撮像センサ５と、撮像光学系３に入射される光の光量を減少させるＮＤフィルタ２と、ＮＤフィルタ２を撮像光学系３の対物側の光軸Ａ上に設置し、設置されたＮＤフィルタ２を前記撮影レンズの光軸Ａ上から外すＮＤフィルタ制御部２０及びＮＤフィルタ駆動部２４と、ＮＤフィルタ２が撮影時に光軸Ａ上に設置されるか否かに関わらず、ＮＤフィルタ制御部２０及びＮＤフィルタ駆動部２４によってＮＤフィルタ２が光軸Ａ上に設置されているときに撮像光学系３を通過した光に基づいて、マスタ照明装置１０２またはリモート照明装置４０によって撮影時に発光される照明光の光量を調整するＴＴＬ調光演算部１５と、を設ければよい。
【００５６】
（３）  また、先に説明した本実施形態では、リモート照明装置４０だけがモニタ発光をしている。しかし、これに限らず、本実施形態は、リモート照明装置４０と共にマスタ照明装置１０２がモニタ発光する多灯撮影システムに適用することも可能である。
【００５７】
（４）  さらに、先に説明した本実施形態では、マスタ照明装置１０２を外付けの照明装置としている。しかし、これに限らず、マスタ照明装置１０２としてリモート照明装置４０にトリガパルスＰを送信できる照明装置であれば、カメラ本体１０１に内蔵される照明装置をマスタ照明装置１０２として使用することも可能である。
【００５８】
（５）  上述した実施形態では、小発光時の評価値によらず、大発光時の評価値に基づいて、リモート照明装置４０によって撮影時に発光される照明光の光量を調整する構成について説明した。しかし、これに限らず、本実施形態は、例えば、小発光時の評価値よりも、大発光時の評価値に重みを持たせて、リモート照明装置４０によって撮影時に発光される照明光の光量を調整してもよい。この場合、小発光時の評価値に対する大発光時の評価値の重みが、例えば、２倍以上であることが好ましい。また、小発光時の評価値に対する大発光時の評価値の重みが、１０倍以上であることがさらに好ましい。
なお、実施形態及び変形形態は、適宜組み合わせて用いることもできるが、詳細な説明は省略する。また、本発明は以上説明した実施形態によって限定されることはない。
【符号の説明】
【００５９】
１：カメラ、２：ＮＤフィルタ、３：撮像光学系、５：撮像センサ、１０：システムコントローラ、１５：ＴＴＬ調光演算部、２０：ＮＤフィルタ制御部、２４：ＮＤフィルタ駆動部、４０：リモート照明装置、１０１：カメラ本体、１０２：マスタ照明装置
【図１】
2014035445.tif 000003
【図２】
2014035445.tif 000004
【図３】
2014035445.tif 000005
【図４】
2014035445.tif 000006
【図５】
2014035445.tif 000007
【図６】
2014035445.tif 000008